(57)【特許請求の範囲】
【請求項１】
プラスチック成形されるブラシ台（９）と、ブラシ台（９）の周面一側に設けられるコーム（１０）と、ブラシ台（９）に装着される螺旋状のブラシ（１１）とを備えており、
ブラシ台（９）は、ブラシ（１１）の芯線（１２）の上下両端を支持する基端ボス（１５）および先端ボス（１６）と、両ボス（１５）・（１６）どうしをそれぞれ橋絡するコーム枠（１７）および補強枠（１８）と、コーム枠（１７）と補強枠（１８）との周面間に開口する複数個のブリッスル窓（２１）とを備えており、
ブラシ（１１）は、二つ折りにした芯線（１２）の間に一群のブリッスル（１３）を挟み込んだうえで、芯線（１２）を一方向へねじることで、ブリッスル（１３）を螺旋状に固定してなるものであり、上方視においてブリッスル（１３）は芯線（１２）から全周方向に向かって突出しており、
ブラシ（１１）の芯線（１２）を基端ボス（１５）および先端ボス（１６）で軸支することにより、ブリッスル（１３）がブリッスル窓（２１）から外面に露出しており、
芯線（１２）の中心からブリッスル（１３）の先端までの仮想円の半径値（Ｒ）が、芯線（１２）の中心から櫛歯（１０ｂ）の突出基端までの距離（Ｔ）と概ね一致しており、
櫛歯（１０ｂ）の大半部分が先の仮想円の外に大きく突出していることを特徴とするコーム付きマスカラブラシ。
【請求項２】
コーム枠（１７）と補強枠（１８）とが、ブラシ台（９）の周面に対向配置されて、コーム枠（１７）と補強枠（１８）との間の周面に、一対のブリッスル窓（２１）を有する請求項１記載のコーム付きマスカラブラシ。
【請求項３】
基端ボス（１５）と先端ボス（１６）とが複数個の補強枠（１８）で橋絡されていて、ブラシ台（９）の周面に３個以上のブリッスル窓（２１）を有する請求項１記載のコーム付きマスカラブラシ。
【請求項４】
コーム枠（１７）と補強枠（１８）とが、ブリッスル窓（２１）を横断する補強リブ（２５）で一体に接続されている請求項１記載のコーム付きマスカラブラシ。
【請求項５】
ブラシ台（９）とは別体のプラスチック部品からなるコーム（１０）が、コーム枠（１７）の外面に装着固定されている請求項１記載のコーム付きマスカラブラシ。
【請求項６】
補強枠（１８）が、ブラシ台（９）と別体の部品で構成されており、ブラシ（１１）と補強枠（１８）とがブラシ台（９）に対して記載順に組み付け可能である請求項１記載のコーム付きマスカラブラシ。  
【発明の詳細な説明】
【技術分野】
【０００１】
本発明は、マスカラ液をまつげに塗布するためのブラシと、まつ毛およびマスカラ液を均等に梳き整えるためのコームとを備えたコーム付きマスカラブラシに関する。
【背景技術】
【０００２】
この種のマスカラブラシは、特許文献１・２に公知である。いずれも、多数個の櫛歯を備えたコームの背面に、ブリッスルを直線列状に植設してある。一般的なマスカラブラシは、二つ折りにした芯線の間に一群のブリッスルを挟み込んだうえで、芯線を一方向へねじることによりブリッスルを螺旋状に固定し、その周面を砥石で研削して所定形状に仕上げ形成してある（特許文献３参照）。
【０００３】
特許文献４においては、プラスチック成形されたコームに、螺旋状のブラシを組み付けてマスカラブラシを構成している。詳しくは、丸軸状のコーム台の一側に櫛歯を一体成形してコームとしている。櫛歯の背面側には、ブラシを収容するための上下に長い切欠部分が形成されており、この切欠部分の上下両端にブラシの芯線を支持するボスが形成してある。上下のボスには、それぞれ芯線を支持する受穴が形成してある。
【０００４】
上記のブラシは、芯線と、その周りに固定される螺旋状のブリッスルとで構成するが、ブリッスルの周面の一部を芯線に沿って除去して無毛凹部を形成する点で、従来のブラシとは構造が異なる。ブラシをコームに組み付けた状態においては、コームの切欠部分と櫛歯との間の断面扇形の櫛背壁がブラシの無毛凹部に入り込む。
【０００５】
【特許文献１】実公昭５６−２５６１８号公報（第１頁第２欄上段、第１図）
【特許文献２】実開平５−４８８０４号公報（段落番号００１１、図２）
【特許文献３】特開２００４−２４２７１１号公報（段落番号００３５、図５）
【特許文献４】特開２００４−３２９９４６号公報（段落番号２９、３３、図２）
【発明の開示】
【発明が解決しようとする課題】
【０００６】
特許文献１・２のマスカラブラシは、ブリッスルが直線列状に配置してあるにすぎないので、１回に塗布できるマスカラ液の量が少なく、マスカラ液をまつげ全体に塗付するのに多くの手間が掛かる。この点、螺旋状のブリッスルを備えた特許文献３・４のマスカラブラシは、ブラシの周面全体にマスカラ液を含ませることができるので、マスカラ液の塗付を効果的に行える。
【０００７】
特許文献４のマスカラブラシによれば、コーム台の一側に櫛歯が配置され、残るコーム台の周囲にブリッスルが螺旋状に露出しているので、マスカラ液を効果的に塗布しながら、マスカラ液およびまつ毛を簡便に梳き整えることができる。しかし、ブラシの周囲に無毛凹部を形成するのに余分な加工を要し、無毛凹部がコーム台の櫛背壁と正対する状態でブラシをコーム台に組み付けねばならず、全体としてマスカラブラシの加工および組み立てに手間が掛かる。
【０００８】
コーム台に切欠部分を形成すると、櫛背壁の曲げ強度が低下するのを避けられず、まつ毛を櫛歯で梳き整えるとき櫛背壁がたわみ変形しやすく、そのため使用者の意図通りにまつ毛を梳き整えるのが困難となる。図で見る限り、芯線の中心からブラシ周面までの仮想半径値と、芯線の中心から櫛歯の突端までの仮想半径値とがほぼ同じになっている。そのため、無毛凹部を備えているにもかかわらず、櫛歯でまつ毛を梳き整える際に、櫛歯の近傍のブリッスルが邪魔になる。多くの場合、まつ毛の化粧は鏡を覗き込みながら行うが、まつ毛を梳き整えるとき、櫛歯がブリッスルで覆い隠されて櫛歯の状況を視認しにくい不利が予測される。
【０００９】
本発明の目的は、ブラシを収容するための切欠部分を設けることでコーム枠の構造強度が低下するのを解消し、これでまつ毛を櫛歯で梳き整えるときコーム枠がたわみ変形するのを解消して、使用者の意図通りにまつ毛を梳き整えることができるコーム付きマスカラブラシを提供することにある。
【００１０】
本発明の目的は、マスカラ液の塗布とまつ毛の梳き整えとを簡便に行うことができ、ブラシ構造を簡素化して全体コストを削減化できるコーム付きマスカラブラシを提供することにある。
【００１１】
本発明の目的は、櫛歯でまつ毛を梳き整える際に、櫛歯がブリッスルで覆い隠されるのを解消して、まつ毛を梳き整える櫛歯の状況を確実に視認でき、したがってマスカラ液およびまつ毛の仕上がり状態を確認しながら、使用者の意図通りにまつ毛を梳き整えることができるコーム付きマスカラブラシを提供することにある。
【課題を解決するための手段】
【００１２】
本発明のコーム付きマスカラブラシは、プラスチック成形されるブラシ台９と、ブラシ台９の周面一側に設けられるコーム１０と、ブラシ台９に装着される螺旋状のブラシ１１とを備えている。ブラシ台９は、ブラシ１１の芯線１２の上下両端を支持する基端ボス１５および先端ボス１６と、両ボス１５・１６どうしをそれぞれ橋絡するコーム枠１７および補強枠１８と、コーム枠１７と補強枠１８との周面間に開口する複数個のブリッスル窓２１とを備えている。ブラシ１１は、二つ折りにした芯線１２の間に一群のブリッスル１３を挟み込んだうえで、芯線１２を一方向へねじることで、ブリッスル１３を螺旋状に固定してなるものであり、上方視においてブリッスル１３は芯線１２から全周方向に向かって突出している。ブラシ１１の芯線１２を基端ボス１５および先端ボス１６で軸支することにより、ブリッスル１３がブリッスル窓２１から外面に露出している。芯線１２の中心からブリッスル１３の先端までの仮想円の半径値Ｒは、芯線１２の中心から櫛歯１０ｂの突出基端までの距離Ｔと概ね一致しており、以て、櫛歯１０ｂの大半の部分は先の仮想円の外に大きく突出していることを特徴とする。
【００１３】
具体的には、図４に示すごとくコーム枠１７と補強枠１８とが、ブラシ台９の周面に対向配置されて、コーム枠１７と補強枠１８との間の周面に一対のブリッスル窓２１を有する。
【００１４】
基端ボス１５と先端ボス１６とは、複数個の補強枠１８で橋絡して、ブラシ台９の周面に３個以上のブリッスル窓２１を有する。
【００１５】
コーム枠１７と補強枠１８とは、図６に示すごとくブリッスル窓２１を横断する補強リブ２５で一体に接続することができる。
【００１６】
コーム１０は、図３に示すごとくブラシ台９とは別体のプラスチック部品で形成し、コーム枠１７の外面に装着固定することができる。
【００１８】
補強枠１８は、ブラシ台９と別体の部品で構成して、ブラシ１１と補強枠１８とをブラシ台９に対して記載順に組み付け可能とすることができる。
【発明の効果】
【００１９】
本発明では、ブラシ台９にコーム１０と螺旋状のブラシ１１とが設けてあるコーム付きマスカラブラシにおいて、ブラシ台９の上下端に設けた基端ボス１５と先端ボス１６とを、コーム枠１７に加えて補強枠１８によっても橋絡し、両枠１７・１８の周面間で開口するブリッスル窓２１からブラシ１１のブリッスル１３を外面に露出させる構造とした。このように、ブラシ台９の基端ボス１５と先端ボス１６とが、コーム枠１７と補強枠１８とで橋絡されていると、補強枠１８を設ける分だけブラシ台９の構造強度がアップするので、まつ毛をコーム１０で梳き整えるときコーム枠１７がたわみ変形するのを解消して、使用者の意図通りにまつ毛を梳き整えることができる。
【００２０】
従来のブラシと同構造の、ブリッスル１３が螺旋状に固定されたブラシ１１を、そのままブラシ台９に組み付けるので、ブラシの周面に無毛凹部を形成する必要があった従来例に比べて、ブラシ１１の加工および組み立てに要するコストを削減できる。しかも、ブリッスル窓２１から露出するブリッスル１３に充分な量のマスカラ液を含ませて、効果的にまつ毛に塗布できるのはもちろんのこと、コーム枠１７の外面に設けたコーム１０でマスカラ液およびまつ毛を梳き整えて、まつ毛の化粧を簡便にしかも効果的に行える。
【００２１】
コーム枠１７と補強枠１８とをブラシ台９の周面に対向配置して、両枠１７・１８間に一対のブリッスル窓２１が開口するブラシ構造によれば、補強枠１８によって押し曲げられるブリッスル１３の量を最小限化しながら、ブラシ台９の構造強度を向上できる。したがって、ブリッスルが螺旋状に固定された従来例と同様に、充分な量のマスカラ液をブリッスル１３に含ませて効果的にまつ毛に塗布できる。ブラシ台９を成形するための金型構造を単純化して、その分だけブラシ台９の成形コストを削減化できる。
【００２２】
基端ボス１５と先端ボス１６とが、複数個の補強枠１８で橋絡されていて、周面に３個以上のブリッスル窓２１を有するブラシ台９によれば、補強枠１８の形成個数が多い分だけブラシ台９の構造強度をさらにアップして、使用時におけるコーム枠１７の変形をさらに確実に防止できる。放射螺旋状に固定されるブリッスル１３が、複数個の補強枠１８とコーム枠１７とによって、周方向へ少なくとも３個の毛束群に分けて捕捉されるので、ブリッスル窓２１から露出する毛束群の密度を高めて、曲げ力に対向する腰の強さが向上し、これに伴ってブリッスル１３によるマスカラ液の塗布をさらに的確に行える。
【００２３】
コーム枠１７と補強枠１８とが、ブリッスル窓２１を横断する補強リブ２５で一体に接続されているブラシ台９によれば、コーム枠１７や補強枠１８の長手方向中途部が外力を受けてたわみ変形するのを補強リブ２５で規制できるので、コーム枠１７および補強枠１８の剛性を高めて、ブラシ台９の構造強度をさらにアップできる。
【００２４】
コーム１０が、ブラシ台９とは別体のプラスチック部品で形成されていて、コーム枠１７の外面に装着固定されるマスカラブラシによれば、コーム１０の形成素材をブラシ台９とは無関係に選定できるので、例えばマスカラ液の粘度や、まつ毛の太さなどに応じて櫛歯１０ｂの硬さや柔らかさを自由に選定でき、ユーザーの好みに応じたコーム付きマスカラブラシが得られる。
【００２５】
ブリッスル１３の先端までの仮想円の半径値Ｒを、櫛歯１０ｂの突出基端までの距離Ｔと概ね一致させて、櫛歯１０ｂの大半部分を先の仮想円の外に大きく突出させたマスカラブラシによれば、鏡を見ながら櫛歯１０ｂでまつ毛を梳き整える際に、櫛歯１０ｂがブリッスル１３で覆い隠されるのを避けながらまつ毛の状況を確実に視認できる。したがって、先の半径値Ｒと距離Ｔとがほぼ同じに設定された従来例に比べて、マスカラ液とまつ毛の仕上がり状態を更に確実に視認しながら、使用者の意図通りにまつ毛を梳き整えるに有利である。
【００２６】
補強枠１８をブラシ台９と別体の部品で構成して、ブラシ台９を２ピース構造にしたマスカラブラシによれば、ブラシ１１の芯線１２の上下端をブラシ台９に組んだのち、補強枠１８をブラシ台９に組み付けることにより、ブラシ１１をブラシ台９と一体化できるので、上下の芯線穴１９・２０に芯線１２を差し込み装着する場合に比べて、ブラシ１１の組み付けをより少ない手間で簡便に行え、その分だけコーム付きマスカラブラシの製造に要する手間を省いてコストを削減化できる。
【発明を実施するための最良の形態】
【００２７】
（実施例１）  図１ないし図５は本発明に係るコーム付きマスカラブラシの実施例１を示す。図２においてコーム付きマスカラブラシは、本体部１と、本体部１を支持するホルダー２とからなる。
【００２８】
図２においてホルダー２は、つまみ３と、つまみ３の下面に突設した上下に長い軸４とを一体に形成したプラスチック成形品であり、軸４の下端に本体部１が連結固定されている。符号５はマスカラ液を収容する容器、符号６はホルダー２のつまみ３が装着固定されるキャップである。
【００２９】
図３において本体部１は、プラスチック成形品からなるブラシ台９と、ブラシ台９の周面一側に設けられるコーム１０と、ブラシ台９に装着される螺旋状のブラシ１１とを含む。
【００３０】
ブラシ１１は、二つ折りにした芯線１２の間に一群のブリッスル１３を挟み込んだうえで、芯線１２を一方向へねじってブリッスル１３が螺旋状に固定された形態、すなわち従来ブラシと同じ構造とした。図示例では、ブリッスル１３の螺旋直径寸法を基端から先端まで同じにした。
【００３１】
ブラシ台９は、ブラシ１１の芯線１２の上下両端を支持する基端ボス１５および先端ボス１６と、両ボス１５・１６どうしをそれぞれ橋絡するコーム枠１７および補強枠１８と、基端ボス１５および先端ボス１６にそれぞれ形成される芯線穴１９・２０と、コーム枠１７と補強枠１８との周面間に開口される２個のブリッスル窓２１とを備えている。基端ボス１５は丸軸状に形成してあり、その軸端に軸４の連結穴４ａに内嵌固定される連結軸１５ａを形成してある。
【００３２】
図４においてコーム枠１７と補強枠１８とは、ブラシ台９の中心を通る直径線に沿って対向配置する。コーム枠１７の内面は半円状に丸めてあり、補強枠１８の内面も同様に半円状に丸めてある。ブラシ１１をブラシ台９に装着した状態において、各枠１７・１８に接するブリッスル１３が折れ曲がるのを極力避けるためである。
【００３３】
コーム枠１７と補強枠１８との対向間隔は、芯線穴１９・２０の直径寸法に一致しており、この間隔部分を介して一対のブリッスル窓２１が連通している。補強枠１８の厚み寸法は、コーム枠１７の厚み寸法の概ね３分の１と幅狭に形成した（図３および図４参照）。
【００３４】
コーム１０は、ベース１０ａの一側に一群の櫛歯１０ｂを一体に成形したプラスチック成形品であり、ベース１０ａをコーム枠１７の外面に接着して固定することにより、ブラシ台９と一体化する。大半の櫛歯１０ｂは、ベース１０ａからの突出寸法が同じに設定してあるが、先端ボス１６に近い側の櫛歯１０ｂに限って、突出寸法が徐々に小さくなるように設定してある。もちろん、先端ボス１６に近い側の櫛歯１０ｂの突出寸法は、他の部位の櫛歯１０ｂと同じ突出寸法にしてあってもよい。
【００３５】
上記構成のブラシ台９に、コーム１０を接着固定し、さらにブラシ１１を組み付けることにより、図１に示すコーム付きマスカラブラシを完成する。
【００３６】
詳しくは、先端ボス１６の芯線穴２０側から、ブラシ１１の芯線１２の基端部分（図３に向かって上端部分）を差し込み、ブリッスル１３を弾性変形させながら芯線穴２０をくぐり抜けさせる。さらに、基端ボス１５の芯線穴１９に芯線１２の基端部分を差し込み、超音波加工によって芯線１２を基端ボス１５に固定する。芯線１２の先端部分は接着剤で固定する。
【００３７】
先端ボス１６の芯線穴２０をくぐり抜けたブリッスル１３は、自己の弾性で螺旋放射姿勢に復帰して、その殆どが図４に示すようにブリッスル窓２１から外面に露出する。したがって、ブリッスル窓２１から露出するブリッスル１３にマスカラ液を含ませると、従来例と同様にマスカラ液をまつ毛に支障なく塗布することができる。
【００３８】
上記の組み付け状態において、芯線１２の中心からブリッスル１３の先端までの仮想円の半径値Ｒは、図４に示すごとく、芯線１２の中心から櫛歯１０ｂの突出基端までの距離Ｔと概ね一致している。これにより、櫛歯１０ｂの大半部分は先の仮想円の外に大きく突出する。
【００３９】
このことは、鏡を見ながら櫛歯１０ｂでまつ毛を梳き整える際に、櫛歯１０ｂがブリッスル１３で覆い隠されるのを避けながら、まつ毛の状況を確実に視認できることを意味する。したがって、従来のこの種のマスカラブラシに比べて、マスカラ液およびまつ毛の仕上がり状態をより確実に視認しながら、使用者の意図通りにまつ毛を梳き整えることができる。
【００４０】
ブラシ台９には、コーム枠１７とは別の補強枠１８を設けて、両枠１７・１８で基端ボス１５と先端ボス１６とを橋絡したので、補強枠１８でブラシ台９の構造強度が向上し、使用時にコーム枠１７がたわみ変形するのを確実に解消できる。
【００４１】
また、ブリッスル１３が放射螺旋状に固定されたブラシ１１は、その状態のままブラシ台９に組み付けてコーム付きマスカラブラシを構成するので、ブラシの周面に無毛凹部を形成する必要があった従来例に比べて、ブラシ１１の構造を簡素化できる。コーム１０はブラシ台９と別体の部品にしたので、形成素材を変更することによりコーム１０の硬さを自由に設定できる。
【００４２】
上記の実施例では、コーム枠１７と補強枠１８とを対向状に配置して、両枠１７・１８間に一対のブラシ窓２１を形成したが、その必要はなく、基端ボス１５と先端ボス１６とは複数個の補強枠１８で橋絡して、ブラシ台９の周面に３個以上のブリッスル窓２１を開口してもよい。
【００４３】
（実施例２）  図６はブラシ台９に関する本発明の実施例２を示す。そこでは、コーム枠１７と補強枠１８とを、ブリッスル窓２１を横断する上下２個の補強リブ２５で一体に接続し、補強枠１８のたわみ変形を規制することにより、ブラシ台９の構造強度をさらに向上できるようにした。補強リブ２５の形成個所では、ブリッスル１３の螺旋列が上下に分断されるが、分断されて補強リブ２５に押しのけられるブリッスル１３の量は僅かであるから、マスカラ液を塗布するのに支障はない。この実施例２では、コーム１０をブラシ台９と一体に成形した。他は先の実施例１と同じであるので、同じ部材に同じ符号を付してその説明を省略する。以下の実施例においても同じとする。
【００４４】
（実施例３）  図７はブラシ台９に関する本発明の実施例３を示す。そこでは、補強枠１８をブラシ台９とは別体の部品として形成して、ブラシ台９に対するブラシ１１の組み付けを容易化した。詳しくは、基端ボス１５に芯線１２をボス側面側から組むための断面Ｕ字状の溝２７を形成した。さらに、コーム枠１７の先端には、芯線１２の先端を受け止める断面半円状の内ボス２８を形成した。補強枠１８の基端部分には、溝２７に嵌合する押さえブロック２９を一体に形成した。先端部分には内ボス２８に外嵌して、内ボス２８と協同して芯線１２の先端部分を軸支する先端ボス１６を一体に形成した。先端ボス１６の芯線穴２０は、半径が大小に異なる半円を対向配置した異形穴となる。
【００４５】
上記のようにブラシ台９を２ピース構造にすると、ブラシ１１の芯線１２の上下端を溝２７と内ボス２８にあてがった状態で、補強枠１８の先端ボス１６を内ボス２８に外嵌したのち、押さえブロック２９を溝２７に嵌め込み固定することにより、ブラシ１１をブラシ台９と一体化できるので、上下の芯線穴１９・２０に芯線１２を差し込み装着する場合に比べて、ブラシ１１の組み付けをより少ない手間で簡便に行える。
【００４６】
（実施例４）  図８はブラシ台９に関する本発明の実施例４を示す。そこでは補強枠１８の外面に、まつ毛を梳くための連続山形の導毛体３２を一体に形成した。このように導毛体３２を付加すると、マスカラ液をブリッスル１３でまつ毛に塗布するのと同時に、まつ毛に付着した塊状のマスカラ液を導毛体３２で掻落して梳き整えることができ、コーム１０によるまつ毛の仕上げ梳きをより簡便に行える。
【００４７】
上記の導毛体３２の外形形状は連続山形以外に、連続波形や鋸刃形、あるいは山形、波形などの各形状要素が混在する形状など必要に応じて自由に選定できる。必要があれば、導毛体３２を構成する１単位の凹凸形状の隣接ピッチや、凸部の突出寸法などは適宜選定できる。
【００４８】
（実施例５）  図９はブラシ台９に関する本発明の実施例５を示す。そこでは補強枠１８の外面に形成される導毛体３２を、突出寸法が小さな櫛歯３３の一群でコーム状に形成した。この場合の櫛歯３３の突出寸法は一定である必要はなく、突出寸法が大小に異なる櫛歯３３を混在させることができる。
【００４９】
上記の実施例以外に、櫛歯１０ｂと対向するブラシ台９の周面１箇所に限ってブリッスル窓２１を開口し、ブリッスル１３をブリッスル窓２１から櫛歯１０ｂの突出方向と逆向きに露出させることができる。この場合には、コーム枠１７に連続してブリッスル窓２１の両側を囲む一対の筒壁が補強枠１８を兼ねることとなる。実施例１におけるコーム１０は、ブラシ台９と一体に成形することができる。
【図面の簡単な説明】
【００５０】
【図１】コーム付きマスカラブラシの縦断側面図である。
【図２】コーム付きマスカラブラシの正面図である。
【図３】コーム付きマスカラブラシの一部を破断した分解側面図である。
【図４】図１におけるＡ−Ａ線断面図である。
【図５】ブラシ部分の背面図である。
【図６】ブラシ台に関する実施例２を示す側面図である。
【図７】ブラシ台に関する実施例３を示す分解斜視図である。
【図８】ブラシ台に関する実施例４を示す側面図である。
【図９】ブラシ台に関する実施例５を示す側面図である。
【符号の説明】
【００５１】
９  ブラシ台
１０  コーム
１１  ブラシ
１２  芯線
１５  基端ボス
１６  先端ボス
１７  コーム枠
１８  補強枠
２１  ブリッスル窓
２５  補強リブ
【図１】
0004831731.tif 000002
【図２】
0004831731.tif 000003
【図３】
0004831731.tif 000004
【図４】
0004831731.tif 000005
【図５】
0004831731.tif 000006
【図６】
0004831731.tif 000007
【図７】
0004831731.tif 000008
【図８】
0004831731.tif 000009
【図９】
0004831731.tif 000010